(57)【特許請求の範囲】
【請求項１】
吊り天井構造（１）の一部分を形成する縁形材（１０）であって、前記吊り天井構造（１）は、建築構造物における未加工の天井から吊り下げられて配置された複数の支持形材（２０）と、それぞれが前記複数の支持形材（２０）の少なくとも１つに付設された複数のベース形材（３０）とを備えており、前記縁形材（１０）は、壁構造に固定可能な基部（１１）と、第１脚部（１２）と、第２脚部（１３）とを備えたＵ字形状断面を有しており、前記第１脚部（１２）は、外側区域（１２２）と内側区域（１２１）とを有しており、前記外側区域（１２２）は、前記内側区域（１２１）に対して前記第２脚部（１３）側にオフセット配置されており、前記第２脚部（１３）は、前記第１脚部（１２）に向かって内向きに延びる当接縁（１３１）を備えている、縁形材（１０）。
【請求項２】
前記第１脚部（１２）の前記外側区域（１２２）が、前記第２脚部（１３）と平行である、請求項１に記載の縁形材（１０）。
【請求項３】
前記外側区域（１２２）と前記第２脚部（１３）とが、３０ｍｍ〜５０ｍｍの距離をおいて平行に配置されている、請求項２に記載の縁形材（１０）。
【請求項４】
前記第１脚部（１２）の前記内側区域（１２１）が、前記外側区域（１２２）の長さよりも短い長さを有する、請求項１〜３のいずれか１項に記載の縁形材（１０）。
【請求項５】
前記内側区域（１２１）が１５ｍｍ〜２５ｍｍの長さを有し、前記外側区域（１２２）が２５ｍｍ〜３５ｍｍの長さを有する、請求項１〜４のいずれか１項に記載の縁形材（１０）。
【請求項６】
前記当接縁（１３１）が、前記基部（１１）から、前記第１脚部（１２）の前記内側区域（１２１）の長さに対応する距離をおいて配置されている、請求項１〜５のいずれか１項に記載の縁形材（１０）。
【請求項７】
建築構造物における未加工の天井から吊り下げられて配置される複数の支持形材（２０）と、それぞれが前記複数の支持形材（２０）の少なくとも１つに付設される複数のベース形材（３０）とを備えている吊り天井基礎構造（１）であって、請求項１〜６のいずれか１項に記載の少なくとも１つの縁形材（１０）をさらに備えている、吊り天井基礎構造（１）。
【請求項８】
前記縁形材（１０）の前記第１脚部（１２）における前記内側区域（１２１）及び前記外側区域（１２２）が、前記複数の支持形材（２０）の下面と付設された前記複数のベース形材（３０）の下面との間の距離に対応するオフセット距離を有しつつ平行に配置されている、請求項７に記載の吊り天井基礎構造（１）。
【請求項９】
各支持形材（２０）が、建築構造物における未加工の天井に前記支持形材（２０）を配置するための少なくとも１つの吊り具（２１）を備えている、請求項７又は８に記載の吊り天井基礎構造（１）。
【請求項１０】
Ｌ字形状断面を有する少なくとも１つの追加の縁形材（４０）を備えている、請求項７〜９のいずれか１項に記載の吊り天井基礎構造（１）。
【請求項１１】
請求項７〜１０のいずれか１項に記載の吊り天井基礎構造（１）と、前記ベース形材（３０）に付設された少なくとも１層の建築板（２）とを備えている、乾式壁天井。
【請求項１２】
前記少なくとも１層の建築板（２）が、石膏プラスターボード、石膏繊維板、セメント板、バーミキュライト板、ケイ酸塩板又は酸化マグネシウム板である、請求項１１に記載の乾式壁天井。
【請求項１３】
前記ベース形材（３０）に付設された１層の建築板（２）と、Ｌ字形状断面を有する少なくとも１つの追加の縁形材（４０）とを備えており、前記追加の縁形材（４０）の一部分が、前記建築板（２）と前記ベース形材（３０）との間に配置されている、請求項１１又は１２に記載の乾式壁天井。
【請求項１４】
前記ベース形材（３０）に付設された少なくとも２層の建築板（２）と、Ｌ字形状断面を有する少なくとも１つの追加の縁形材（４０）とを備えており、前記追加の縁形材（４０）の一部分が、前記２層の建築板（２）のうち個々の建築板の層の間に配置されている、請求項１３に記載の乾式壁天井。
【請求項１５】
前記吊り具を前記支持形材（２０）に固定する固定クリップ（２３）をさらに備えている、請求項１１〜１４のいずれか１項に記載の乾式壁天井。
【請求項１６】
請求項１〜６のいずれか１項に記載の少なくとも１つの縁形材（１０）と、
吊り具（２１）によって未加工の天井から支持形材（２０）へと吊り下げられた、前記支持形材（２０）を固定するための、少なくとも１つの固定クリップ（２３）であって、前記固定クリップ（２３）は、Ｌ字形状に配置された第１脚部（２３１）及び第２脚部（２３２）であって、前記第１脚部（２３１）が前記第２脚部（２３２）よりも長い、第１脚部（２３１）及び第２脚部（２３２）を有すると共に、前記第１脚部の一方の小端へと開かれている溝（２３３）であって、前記吊り具（２１）を前記溝（２３３）内に配置することによって、前記固定クリップ（２３）を支持形材（２０）上方にて摺動可能に固定するための溝（２３３）を備えている、少なくとも１つの固定クリップ（２３）とを備える、耐震乾式壁天井建造物用セット。
【発明の詳細な説明】
【技術分野】
【０００１】
本発明は、各独立請求項に係る吊り天井構造の一部分を形成するための縁形材及び吊り天井構造に関する。
【背景技術】
【０００２】
本発明の技術分野は乾式壁建築構造物であり、特に、建築板が取付けられて閉じた天井面を形成する吊り天井基礎構造を有する耐震乾式壁天井である。
【０００３】
一般に、そのような吊り天井基礎構造は曲げ加工された板金形材によって形成され、乾式壁天井支持材の場合には、支持形材、ベース形材及び縁形材を含んでいる。
【０００４】
支持形材は、吊り具を使用して吊り下げられた状態で、未加工の天井に固定されている。典型的な吊り具は、吊り具線材に締結された保持部を有する。通常、各支持形材は、少なくとも２つの吊り具を用いて吊り下げられ、吊り具線材を用いて未加工の天井にねじ止めされる。取付けられた状態では、支持形材はさらに、その端部が縁形材上に載置されている。
【０００５】
ベース形材は、支持形材に付設されている。一般的なベース形材は、２つの脚部を備えたＵ字形状であり、支持形材の下側において対応する形状部分に挟み留めされ得る。１つの特定の例では、複数のベース形材は、隣り合うベース形材間の距離が約６０ｃｍの格子状となるように、支持形材に付設される。プラスターボードは、ベース形材にねじ止めされて、閉じた天井面を形成する。
【０００６】
縁形材は、取付けられた状態において支持形材がその端部を縁形材上に載置するように、支持形材に対応する高さで内壁に固定されている。従来の縁形材は、基部及び基部から延びる単一の脚部を備えたＬ字形状の断面を有する。該基部は平坦な形状であり、取付けられた状態の支持形材に対応する高さで壁構造に固定することが可能な寸法を有する。該脚部は、支持形材が該脚部の上面に載置されるように、取付けられた状態において縁部形材の内壁から室内へと延在している。
【０００７】
ある種のＬ字形状の縁形材は、脚部が外側区域及び内側区域とで形成されることにより、吊り天井基礎構造の安定性を向上させている。外側区域は、内側区域に対して（角二等分線に向かって）さらに内側に配置される。これにより、プラスターボードが下方から内側区域の下面に接触させて取付けられている際に、支持形材を外側区域の上面に載置することが可能になる。
【０００８】
例えば、日本やネパールのような地震活動が活発な地理的地域では、そのような乾式壁建築構造物は、地震の際における地面の動きにより生じる建築物の動きに耐える必要がある。そのような地震の多い場所では、耐震乾式壁の設計が必要とされる。耐震性乾式壁の設計は、居住者に命の安全をもたらし、地震の間及びその後における建物の機能を維持することを目的としている。
【０００９】
上述のＬ字形状の縁形材の不利な点として、そのような地震活動により生じる動きの間に、支持形材が縁形材から垂直に動き得るという理由が挙げられる。強い地震の際には、支持形材がＬ字形状の縁形材から持ち上がったり、下にある部屋に落下したりすることさえもあり得る。そのような天井は、居住者へと降り掛かったり、建物からの脱出路を塞いだりすることがあり得る。
【発明の概要】
【発明が解決しようとする課題】
【００１０】
したがって、本発明の目的は、従来技術より既知の上記欠点を克服又は少なくとも低減する、改良された縁形材を提供することである。特に、本発明の目的は、耐震天井建造物用の縁形材を提供することである。
【課題を解決するための手段】
【００１１】
本発明の目的は、各独立請求項に係る縁形材及び吊り天井基礎構造によって達成される。本発明の個々の有利な態様は、各従属請求項の主題を形成する。本発明は、吊り天井構造の一部分を形成する縁形材であって、該吊り天井構造が建築構造物における未加工の天井から吊り下げられて配置された複数の支持形材と、それぞれが複数の支持形材の少なくとも１つに付設された複数のベース形材とを備えている、縁形材に関する。縁形材は、壁構造に固定可能な基部と、第１脚部と、第２脚部とを備えたＵ字形状断面を有する。第１脚部は、好ましくは、外側区域と内側区域とを有しており、外側区域は、内側区域に対して第２脚部側にオフセット配置されている。したがって、外側区域は、好ましくは、内側区域よりもさらに内側かつ第２脚部の近くに配置されている。
【００１２】
本発明によれば、第１脚部の外側区域と第２脚部との間に支持形材の端部を配置することを可能にする耐震天井建造物用の縁形材が提供される。特に、支持形材が垂直に動くことができないため、これは地震動の際に有利である。強い地震の場合、支持形材は第１脚部と第２脚部との間で垂直に固定されており、持ち上がることもなければ、下にある部屋に落下することさえもない。本発明は、（建築板が下方から内側区域の下面に接触させて取付けられている際に支持形材を外側区域の上面に載置するための、外側区域及び内部区域が形成された脚部によって）安定性の改善された既知のＬ字形状縁形材の利点と、耐震性の乾式壁天井建造物の利点とを併せて提供する。
【００１３】
本発明による建築板は、石膏プラスターボード、石膏繊維板、セメント板、バーミキュライト板、ケイ酸塩板及び酸化マグネシウム板を含み得る。以下では単に簡略化のため、「プラスターボード」という表現が使用されているが、他の全ての建築板もまた使用され得る。
【００１４】
好ましい実施形態によれば、第１脚部の外側区域は、第２脚部と平行である。この平行配置によって、支持形材の端部を外側区域と第２脚部との間の空間内に、その両方に接触した状態で挿入することが可能になる。
【００１５】
第１脚部の外側区域と第２脚部とは、３０ｍｍ〜５０ｍｍの距離をおいて平行に配置されることが好ましい。この距離は、支持形材が第１脚部の外側区域と第２脚部との間の空間に嵌合するように、支持形材の高さに従って選択され得る。第１脚部の外側区域と第２脚部との間の距離の特に好ましい大きさは、４０ｍｍである。
【００１６】
有利には、第１脚部の内側区域は、外側区域の長さよりも短い長さを有する。この配置によって、内側区域の寸法を最小に、かつ外側区域の寸法を最大にすることが可能になる。外側区域が大きければ支持形材の端部のための載置面が大きくなるため、このことは有利である。
【００１７】
特に好ましくは、内側区域が１５ｍｍ〜２５ｍｍの長さを有し、外側区域が２５ｍｍ〜３５ｍｍの長さを有する。特に好ましくは、内側区域が２０ｍｍの長さを有し、外側区域が３０ｍｍの長さを有する。この外側区域の長さは、支持形材のための十分な載置面を提供することが示されている。
【００１８】
有利な態様によれば、基部は３５ｍｍ〜５５ｍｍの長さを有する。基部の寸法は、支持形材の高さに対応するように選択され得る。さらに、基部の寸法は、縁形材を壁にねじ止め可能であると共に縁形材を支持するのに十分な面積を提供するのに十分な大きさである必要がある。
【００１９】
さらに好ましくは、第２脚部は、第１脚部に向かって内向きに延びる当接縁を備えている。当接部は、板金形材における内向きに曲がった縁又はキンクによって形成され得る。当接部は、取付けられた状態で縁形材の内側に配置される際に支持形材の前端と接触するように配置される。
【００２０】
当接縁は、基部から第１脚部の前記内側区域の長さに対応する距離をおいて配置されていることが好ましい。当接縁の該位置は、支持形材が第１脚部の外側区域の上面全体と接触している際に、支持形材を当接縁に接触させて配置することを可能にする。
【００２１】
本発明はさらに、建築構造物における未加工の天井から吊り下げられて配置される複数の支持形材と、それぞれが前記複数の支持形材の少なくとも１つに付設される複数のベース形材とを備えている吊り天井基礎構造に関する。吊り天井基礎構造は、上述の少なくとも１つの縁形材をさらに備える。
【００２２】
有利には、前記縁形材の前記第１脚部における前記内側区域及び前記外側区域が、（吊り天井基礎構造が取付けられた状態において）前記複数の支持形材の（共有）下面と付設された前記複数のベース形材の（共有）下面との間の距離に対応するオフセット距離を有しつつ平行に配置されている。これにより、プラスターボードが下方から内側区域の下面に接触させて取付けられている際に、支持形材を外側区域の上面に載置することが可能になる。
【００２３】
好ましい態様によれば、各支持形材は、建築構造物における未加工の天井に前記支持形材を配置するための少なくとも１つの吊り具を備えている。このような吊り具は、吊り具線材に締結された保持部を備えている。取付けられた状態では、追加のクリップが吊り具に締結され、それによって支持形材を吊り具に対して機械的に固定することができる。
【００２４】
別の好ましい態様は、Ｌ字形状断面を有する少なくとも１つの追加の縁形材に関する。吊り天井基礎構造が取付けられた状態では、支持形材は、その端部がＵ字形状の縁部形材内に配置され、一方で、ベース形材の端部は、Ｌ字形状の形材によって支持される。支持形材が本発明に係る縁形材に固定されている場合、ベース形材の位置を固定するのにＵ字形状の縁形材は必要でない。
【００２５】
本発明はさらに、上述のような吊り天井基礎構造と、該吊り天井基礎構造に取付けられた少なくとも１層の建築板、なかでもプラスターボード、特に石膏プラスターボードとを備えている乾式壁天井に関する。この態様によって、地震活動に起因する乾式壁天井の動きに関する本発明の利点を実現することが可能になる。この耐震乾式壁天井は、地震の際に居住者へと降り掛かることがなく、すなわち、建物からの脱出路を塞ぐことがない。
【００２６】
好ましくは、乾式壁天井は、少なくとも１層の付設されたプラスターボードと、Ｌ字形状断面を有する少なくとも１つの追加の縁形材とを備えており、追加の縁形材の一部分が、プラスターボードと、吊り天井基礎構造のベース形材との間に配置されている。
【００２７】
別の実施形態では、乾式壁天井は、ベース形材に付設された少なくとも２層のプラスターボードと、Ｌ字形状断面を有する少なくとも１つの追加の縁形材とを備えており、追加の縁形材の一部分が、２層のプラスターボードのうち別々のプラスターボードの層の間に配置されている。
【００２８】
有利には、縁形材と隣り合うプラスターボードは、少なくとも１つのベース形材と、第１脚部の内側区域の下面とに付設されている。
【００２９】
以下、図面を参照して、本発明をより詳細に説明する。図面全体を通じて、同様の参照番号は同様の特徴を示している。
【図面の簡単な説明】
【００３０】
【図１】本発明に係る縁形材の断面図である。
【図２】図１の縁形材を備えた基礎構造を有する耐震乾式壁天井の断面図である。
【図３】図１の縁形材を備えた基礎構造を有する耐震乾式壁天井の断面図である。
【図４】図１の縁形材を備えた基礎構造を有する耐震乾式壁天井の斜視図である。
【図５】本発明に係る吊り具及び固定クリップの拡大図である。
【発明を実施するための形態】
【００３１】
図１の断面図に示す縁形材１０はＵ字形状の断面を有し、取付けられた状態で壁構造（図２参照）にねじ止めされた基部１１を備えている。縁形材１０は、下側に第１脚部１２を、上側に第２脚部１３を有する。第１脚部１２は、基部１１から延びており、内側区域１２１及び隣りに配置された外側区域１２２を備えている。第１脚部１２は段として形成され、外側区域１２２は内側区域１２１よりも第２脚部１３に近い位置に配置されている。
【００３２】
第１脚部１２の外側区域１２２は第２脚部１３と平行に配置され、それによって両者の内面の間に支持形材（図２参照）が挿入され得る。外側区域１２２と第２脚部１３との間の距離は約４０ｍｍであり、これは標準的な支持形材高の高さに対応する。第１脚部１２の内側区域１２１は、外側区域１２２の長さよりも短い長さを有する。図示の例では、内側区域１２１は約２０ｍｍの長さを有し、外側区域１２２は約３０ｍｍの長さを有し、基部１１は約４５ｍｍの長さを有する。
【００３３】
第２脚部１３は、第１脚部１２に向かって内側に延びる当接縁１３１又はキンクを備えている。当接縁１３１は、挿入された支持形材（図２参照）の前面のための止め具を形成するような大きさ及び形状を有する。当接縁１３１は、第１脚部１２の内側区域１２１の長さに対応する基部１１からの距離をおいて配置される。この配置によって、第１脚部１２の外側区域１２２と第２脚部１３との間の空間に、外側区域１２２の全長に沿って支持形材を挿入することが可能になる。
【００３４】
本発明によれば、縁形材１０は、耐震天井建造物の一部として設けられ得る。縁形材１０は、第１脚部１２の外側区域１２２と第２脚部１３との間に（図２に示すような）支持形材を配置することを可能にする。地震動の際、支持形材は垂直に動くことを防止される。強い地震の場合、支持形材は第１脚部１２と第２脚部１３との間で垂直に固定されており、持ち上がることもなければ、下にある部屋に落下することさえもない。本発明は、（プラスターボード２が下方から内側区域１２１の下面に接触して取付けられている際に、支持形材を外側区域１２２の上面に載置するための、外側区域１２２及び内部区域１２１が形成された第１脚部によって）安定性の改善された既知のＬ字形状縁形材の利点と、耐震性の乾式壁天井建造物の利点とを併せて提供する。
【００３５】
図２は、図１で説明した縁形材１０を備えた基礎構造を有する乾式壁天井の部分断面図を示す。乾式壁天井は、壁にねじ止めされたＵ字形状の縁形材１０を備えている。支持形材２０は、支持形材２０の前端が当接縁１３１に接触するように、第１脚部１２の外側区域１２２と第２脚部１３との間に挿入される。
【００３６】
図３は、図２の天井における断面の拡大図であり、本発明に係る耐震天井におけるプラスターボードの配置を示している。各支持形材２０は、建築構造物における未加工の天井（ここでは図示されない）に前記支持形材２０を配置するための少なくとも１つの吊り具２１を含む。このような吊り具２１は、吊り具線材に締結された保持部を有する。固定クリップ２３は、取付けられた状態において吊り具に締結されて、支持形材２０を吊り具２１に機械的に締結することができる。好ましくは、固定クリップ２３は、吊り具２１を支持形材２０の溝内に最終的に位置決めした後に、セルフタッピン鋼製ねじ２４によって支持形材２０へと機械的に締結される。この固定クリップ２３は、地震の間における３方向の動きによって支持形材２０が吊り具２１から離脱することを防止することによって、吊り天井にさらなる地震安定性を付与する。
【００３７】
このことは、地震の間に予想される動的な動き（ｘ−ｙ−ｚ軸）が、吊り具２１を支持形材２０から離脱させられないことを意味する。この固定クリップ２３の設計によって、正確かつ容易な位置決めや、標準的なセルフタッピン鋼製ねじ２４を用いた支持形材２１への安全な固定が可能になる。
【００３８】
有利には、縁形材１０の内側区域１２１と外側区域１２２とは、（吊り天井基礎構造が取付けられた状態において）複数の支持形材２０の（仮想共有）下面と、付設された複数のベース形材３０の（仮想共有）下面との間の距離に対応するオフセット距離で、平行に配置される。これにより、プラスターボード２が下方から内側区域１２１の下面に接触して取付けられている際に、支持形材２０を外側区域１２２の上面に載置することが可能になる。
【００３９】
図４には、図１の縁形材１０を含む基礎構造を備えた乾式壁天井の斜視図が示されている。該天井の吊り天井基礎構造は、吊り具を介して建物構造の未加工の天井（ここには図示しない）から吊り下げられた支持形材２０と、複数のベース形材３０とを含む。図示の例では、１層の石膏ボード２がベース形材３０に下から付設されている。支持形材２０の端部は、縁形材１０内に配置されている。支持形材２０と平行に、Ｌ字形状の断面を有する追加の縁形材４０が壁に固定される。この追加の縁形材４０は、ベース形材３０の端部を支持する。追加の縁形材４０は、概して、形材１０が固定される壁に垂直な壁に配置される。当然ながら、縁形材１０，４０の間の角度は、支持形材２０とベース形材３０との間の角度に依存する。
【００４０】
図５は、吊り具２１によって未加工の天井から支持形材２０まで吊り下げられた、支持形材２０を固定するための固定クリップ２３の拡大図を示す。固定クリップ２３は、Ｌ字形状に配置された第１脚部２３１及び第２脚部２３２を有しており、第１脚部２３１は、第２脚部２３２よりも長い。また、固定クリップ２３は、第１脚部の一方の小端へと開かれている溝２３３であって、吊り具２１を溝２３３内に配置することによって、固定クリップ２３を支持形材２０上方にて摺動可能に固定するための溝２３３を備えている。
【００４１】
固定クリップ２３は、固定手段２４によって支持形材２０に締結され得る。固定手段２４は、ねじ、ピン、リベット等であってもよい。好ましくは、固定手段は、セルフタッピンねじである。
【図１】
0006697069.tif 000002
【図２】
0006697069.tif 000003
【図３】
0006697069.tif 000004
【図４】
0006697069.tif 000005
【図５】
0006697069.tif 000006